(57)【要約】【課題】  テープホルダーと戻り防止機能を設けた巻取ホルダーを連動体にて連動させることにより、粘着テープを押したり引いたりしながら、連続的に掃除を行うことができる粘着式連続ローリングクリーナーを提供する。【解決手段】  粘着式のローリングクリーナーであって、粘着テープを着脱自在に取り付けるテープホルダーと、使用済の粘着テープを巻き取る巻取ホルダーとを連動させる連動体を設けると共に、巻取ホルダーに戻り防止機能を設けてなることを特徴とする粘着式連続ローリングクリーナー。【選択図】図１
0003136341.tif 000002
【実用新案登録請求の範囲】
【請求項１】
粘着式のローリングクリーナーであって、粘着テープを着脱自在に取り付けるテープホルダーと、使用済の粘着テープを巻き取る巻取ホルダーとを連動させる連動体を設けると共に、巻取ホルダーに戻り防止機能を設けてなることを特徴とする粘着式連続ローリングクリーナー。
【請求項２】
連動体が、ベルトあるいはチェーンであり、略中央にたるみ止め部を設けてなることを特徴とする請求項１記載の粘着式連続ローリングクリーナー。
【請求項３】
巻取ホルダーの外径が、新しい粘着テープの外径とほぼ同じか、大径にしてなることを特徴とする請求項１又は２記載の粘着式連続ローリングクリーナー。
【請求項４】
巻取ホルダーのホルダーに回転ホルダーを着脱自在に設けてなることを特徴とする請求項１、２又は３記載の粘着式連続ローリングクリーナー。
【考案の詳細な説明】
【技術分野】
【０００１】  本考案は、粘着式テープを連続的に最後まで使用できる粘着式連続ローリングクリーナーに関するものである。
【背景技術】
【０００２】  従来の技術としては、片面粘着テープロール状のものを本装置の上部ローラーに装着し、下部ローラーに巻き付けると下部ローラーの表面はテープの粘着面となる。粘着テープを装着するとスプリングを上部軸棒と下部軸棒に取り付けると上下軸は引き寄せられて上部ローラーと下部ローラーによって粘着テープは下部ローラーと密着するものがある。（特許文献１参照）【０００３】  また、別の従来技術として、基端側にハンドルが設けられたロッドと、ロッドの先端に回動自在に設けられた回動体と、回動体の回動中心から離れた位置に互いに所定距離を持って平行に立設され、粘着ローラを回転自在に支持する複数本のローラ軸と、回動体を複数の所定角度位置の選択したいずれか１ヶ所でロッドに固定可能な固定手段とを備えたことを特徴とする粘着ローラ掃除具がある。（特許文献２参照）
【特許文献１】  特開２００４−２９８５９３号公報
【特許文献２】  実開平７−２４２６５号公報
【考案の開示】
【考案が解決しようとする課題】
【０００４】  上記前者においては、一方向の回転のみで、常時新しい粘着テープのみで掃除をするもので、粘着テープを出し入れしながら掃除を行うものではなく、効率が悪いものである。【０００５】  上記後者においては、複数の床面（例えば畳とカーペット等）のゴミを同時に除去するものであり、本考案のように粘着テープを前後に動かし、連続的に使用できるものではない。【０００６】  本考案は、このような従来の構成が有していた問題を解決しようとするもので、テープホルダーと戻り防止機能を設けた巻取ホルダーを連動体にて連動させることにより、粘着テープを押したり引いたりしながら、連続的に掃除を行うことができる粘着式連続ローリングクリーナーを提供することを目的とする。
【課題を解決するための手段】
【０００７】  本考案は、上記の目的を達成する手段として、粘着式のローリングクリーナーであって、粘着テープを着脱自在に取り付けるテープホルダーと、使用済の粘着テープを巻き取る巻取ホルダーとを連動させる連動体を設けると共に、巻取ホルダーに戻り防止機能を設けてなる。
また、連動体が、ベルトあるいはチェーンであり、略中央にたるみ止め部を設けてなる。
そして、巻取ホルダーの外径が、新しい粘着テープの外径とほぼ同じか、大径にしてなり、巻取ホルダーのホルダーに回転ホルダーを着脱自在に設けたことを特徴とする。
【考案の効果】
【０００８】１）、テープホルダーと戻り防止機能を設けた巻取ホルダー（回転ホルダー）を連動体にて連動させることにより、粘着テープを押したり引いたりしながら連続的に掃除することができる。
２）、連動体をベルトあるいはチェーンとし、たるみ止め部を設けるこをにより、確実に連動できるものである。
３）、戻り防止機能を設けた巻取ホルダーに回転ホルダーを設けることにより、巻き取ったテープを巻き戻すとき、回転ホルダーのみ回転することにより粘着テープをたるませることなく、確実に巻き取るものである。
４）、回転ホルダーの外径が、新しい粘着テープの外径とほぼ同じか、大径にすることにより、新品の粘着テープも、使用途中の粘着テープもスタート時から確実に巻き取ることができる。
【考案を実施するための最良の形態】
【０００９】  １は、粘着式連続ローリングクリーナーである。
２は、先端にＬ字形に形成したフレーム２ａを設けてなるハンドル具である。
３は、粘着テープを着脱自在に取り付けるテープホルダーで、雄ネジ３ａ１を形設した支持軸３ａに、右端にＶ字溝付プーリー３ｂを、その左側に円筒状の当板３ｃ１を一体に設けてなるホルダー３ｃを設け、左端に粘着テープをホルダー３ｃに固着する押板３ｄと固定ナット３ｅを設けてある。
４は、粘着テープを巻き取る巻取ホルダーで、雄ネジ４ａ１を形設した支持軸４ａに、右端に上記と同様なＶ字溝付プーリー４ｂを、その左側に円筒状の当板４ｃ１を一体に設けてなるホルダー４ｃを設け、このホルダー４ｃに回転ホルダー４ｃａを着脱自在に設け、左端に使用済の粘着テープを回転ホルダー４ｃａに巻き付け、ズレないように保持する押板４ｄと固定ナット４ｅを設けてある。
なお、ホルダー４ｃ内に戻り防止機構４ｃ２を設けてある。（ラチェット方式等）
５は、フレーム２ａの略中央に設けてなるＶ字溝付プーリーで、上記Ｖ字溝付プーリー３ｂ・４ｂ間に設けたＶベルト６のタワミを防止すべく長孔２ｂに沿って上下させ保持ナット５ａにて一定の位置に保持してなる。【００１０】  上記粘着式連続ローリングクリーナー１の使用例について説明する。
まず、固定ナット３ｅを緩め、押板３ｄを取外し、粘着テープＮＴをホルダー３ｃに挿入した後、再度、押板３ｄを挿入し、固定ナット３ｅを締め付けて粘着テープＮＴを固定する。【００１１】  つぎに、粘着テープＮＴの端部を回転ホルダー４ｃａに巻き付ける。
この状態で、ハンドル具２を握って、粘着テープＮＴを前後に動かすことにより、粘着テープＮＴは徐々に減少し、それにともない回転ホルダー４ｃａに使用済の粘着テープＮＴ１を巻き付けていくもので、ベルト６により連動するもので、Ｖベルト６のたわみの調整は、保持ナット５ａを緩め、長孔２ｂに沿って移動させ、再度保持ナット５ａを締め付けてたわみを調整するものである。
なお、戻り防止機構４ｃ２は、粘着テープＮＴ１の巻き取り時に、戻ることなく（粘着テープＮＴ１がたるまない）巻き取るもので、巻き戻しの時は回転ホルダー４ｃａのみ回転するものである。【００１２】  粘着テープＮＴが無くなった時点で、固定ナット３ｅを緩め、押板３ｄを取り外し、粘着テープＮＴをホルダー３ｃより取り外す。
また、固定ナット４ｅを緩め、押板４ｄを取り外し、使用済の粘着テープＮＴ１（回転ホルダー４ｃａ）をホルダー４ｃより取り外して処理するものである。
なお、上記実施例において、戻り防止機構は、ラチェット方式に限定することなく、同様な機能を有するものであれば他の形態のものでもよい。
また、連動体においても、チェーン等も考えられる。
さらに、各ホルダー等の大きさも、粘着テープの大きさに合わせればよく、特に限定しない。
【図面の簡単な説明】
【００１３】
【図１】  本考案の一実施例を示す粘着式連続ローリングクリーナーの一部縦断正面図。
【図２】  本考案の一実施例を示す粘着式連続ローリングクリーナーの側面図。
【図３】  本考案の一実施例を示す粘着式連続ローリングクリーナーの使用状態の一部縦断正面図。
【図４】  本考案の一実施例を示す粘着式連続ローリングクリーナーの使用状態の側面図。
【符号の説明】
【００１４】１−−−−粘着式連続ローリングクリーナー
２−−−−ハンドル具
２ａ−−−フレーム
２ｂ−−−長孔
３−−−−テープホルダー
３ａ−−−支持軸
３ａ１−−雄ネジ
３ｂ−−−Ｖ字溝付プーリー
３ｃ−−−ホルダー
３ｃ１−−当板
３ｄ−−−押板
３ｅ−−−固定ナット
４−−−−巻取ホルダー
４ａ−−−支持軸
４ａ１−−雄ネジ
４ｂ−−−Ｖ字溝付プーリー
４ｃ−−−ホルダー
４ｃａ−−回転ホルダー
４ｃ１−−当板
４ｃ２−−戻り防止機構
４ｄ−−−押板
４ｅ−−−固定ナット
５−−−−Ｖ字溝付プーリー
５ａ−−−保持ナット
６−−−−Ｖベルト
ＮＴ−−−粘着テープ
ＮＴ１−−使用済粘着テープ
【図１】
0003136341.tif 000003
【図２】
0003136341.tif 000004
【図３】
0003136341.tif 000005
【図４】
0003136341.tif 000006